(57)【要約】  本願の実施例は、取得したデータが中継データであるか否かを正確に識別できるデータ処理方法及び装置を提供する。該方法は、受信側が処理対象データを取得することと、前記処理対象データに含まれる情報、前記処理対象データのためのリソース申請に使用のメッセージに含まれる情報、前記処理対象データのためのリソース申請に使用のメッセージの占用するリソース情報、及び前記処理対象データを取得するための情報のうちの少なくとも１種に基づき、前記処理対象データが中継データであるか否かを確定することと、前記処理対象データが中継データであるか否かに応じて、前記処理対象データに対する操作を実行することと、を含む。
2020503739.tif 000002
【特許請求の範囲】
【請求項１】
データ処理方法であって、
受信側は処理対象データを取得することと、
前記処理対象データに含まれる情報、前記処理対象データのためのリソース申請に使用のメッセージに含まれる情報、前記処理対象データのためのリソース申請に使用のメッセージの占用するリソース情報、及び前記処理対象データを取得するための情報のうちの少なくとも１種に基づき、前記処理対象データが中継データであるか否かを確定することと、
前記処理対象データが中継データであるか否かに応じて、前記処理対象データに対する操作を実行することと、を含むことを特徴とするデータ処理方法。
【請求項２】
前記処理対象データに含まれる情報に基づき、前記処理対象データが中継データであるか否かを確定することは、
前記処理対象データの物理層のデータ、メディアアクセス制御層ＭＡＣ層のプロトコルデータユニットＰＤＵに含まれる情報、無線リンク制御ＲＬＣ層のＰＤＵに含まれる情報、又はアダプテーション層のＰＤＵに含まれる情報に基づき、前記処理対象データが中継データであるか否かを確定することを含むことを特徴とする請求項１に記載の方法。
【請求項３】
前記処理対象データに含まれる情報に基づき、前記処理対象データが中継データであるか否かを確定することは、
前記処理対象データに含まれる中継情報指示フィールドが、前記処理対象データが中継データであることを指示する場合、前記処理対象データが中継データであると確定すること、又は
前記処理対象データのアダプテーション層に遠隔端末の識別情報が含まれる場合、前記処理対象データが中継データであると確定すること、又は、
前記処理対象データのアダプテーション層にベアラ識別情報が含まれる場合、前記処理対象データが中継データであると確定すること、又は、
前記処理対象データのアダプテーション層に特定のベアラ識別情報が含まれる場合、前記処理対象データが中継データであると確定することを含むことを特徴とする請求項１又は２に記載の方法。
【請求項４】
前記中継情報指示フィールドは物理層制御チャネル、又は物理層サービスチャネルに含まれることを特徴とする請求項３に記載の方法。
【請求項５】
前記中継情報指示フィールドは、物理制御チャネルを通過するダウンリンク制御情報ＤＣＩ又はアップリンク制御情報ＵＣＩに含まれ、又は、
前記中継情報指示フィールドは物理層サービスチャネルの物理サービスチャネルデータのフロントエンドに含まれることを特徴とする請求項４に記載の方法。
【請求項６】
前記処理対象データのためのリソース申請に使用のメッセージに含まれる情報に基づき、前記処理対象データが中継データであるか否かを確定することは、
前記処理対象データのためのリソース申請に使用のバッファステータスレポートＢＳＲに含まれる情報に基づき、前記処理対象データが中継データであるか否かを確定することを含むことを特徴とする請求項１又は２に記載の方法。
【請求項７】
前記処理対象データのためのリソース申請に使用のＢＳＲに含まれる情報に基づき、前記処理対象データが中継データであるか否かを確定することは、
前記ＢＳＲに、申請するリソースを中継データに用いることを指示するための中継データ指示情報、遠隔端末の識別情報、又は中継特定のロジックチャネル情報が含まれる場合、前記処理対象データが中継データであると確定することを含むことを特徴とする請求項６に記載の方法。
【請求項８】
前記処理対象データのためのリソース申請に使用のメッセージの占用するリソース情報に基づき、前記処理対象データが中継データであるか否かを確定することは、
前記処理対象データのためのリソース申請に使用のスケジューリング要求の占用する時間領域リソース、周波数領域リソース、コード領域リソース及び電力リソースのうちの少なくとも１種に基づき、前記処理対象データが中継データであるか否かを確定することを含むことを特徴とする請求項１、２又は６に記載の方法。
【請求項９】
前記処理対象データのためのリソース申請に使用のスケジューリング要求の占用する時間領域リソース、周波数領域リソース、コード領域リソース及び電力リソースのうちの少なくとも１種に基づき、前記処理対象データが中継データであるか否かを確定することは、
前記スケジューリング要求の占用する時間領域リソースが中継特定の時間領域リソースであり、及び／又は前記スケジューリング要求の占用する周波数領域リソースが中継特定の周波数領域リソースであり、及び／又は前記スケジューリング要求の占用するコード領域リソースが中継特定のコード領域リソースであり、及び／又は前記スケジューリング要求の占用する空間領域リソースが中継特定の空間領域リソースであり、及び／又は前記スケジューリング要求の占用する電力リソースが中継特定の電力リソースである場合、前記処理対象データが中継データであると確定することを含むことを特徴とする請求項８に記載の方法。
【請求項１０】
前記処理対象データを取得するための情報に基づき、前記処理対象データが中継データであるか否かを確定することは、
前記処理対象データを取得するためのセル無線ネットワーク一時識別子Ｃ−ＲＮＴＩに基づき、前記処理対象データが中継データであるか否かを確定することを含むことを特徴とする請求項１、２、６又は８に記載の方法。
【請求項１１】
前記処理対象データを取得するためのＣ−ＲＮＴＩに基づき、前記処理対象データが中継データであるか否かを確定することは、
前記処理対象データを取得するためのＣ−ＲＮＴＩが中継特定のＣ−ＲＮＴＩである場合、前記処理対象データが中継データであると確定することを含むことを特徴とする請求項１０に記載の方法。
【請求項１２】
前記受信側は中継端末装置であり、前記処理対象データが中継データであるか否かに応じて、前記処理対象データに対する操作を実行することは、
前記処理対象データをアダプテーション層に提出して処理する前に、前記処理対象データが中継データであると確定した場合、前記処理対象データをアダプテーション層に提出して処理し、アダプテーション層により処理された前記処理対象データを遠隔端末又はネットワーク装置に中継すること、又は
前記処理対象データをアダプテーション層に提出して処理した後に、前記処理対象データが中継データであると識別した場合、前記データを遠隔端末又はネットワーク装置に中継することを含むことを特徴とする請求項１〜１１のいずれか一項に記載の方法。
【請求項１３】
前記受信側はネットワーク装置であり、前記処理対象データが中継データであるか否かに応じて、前記処理対象データに対する操作を実行することは、
前記処理対象データをアダプテーション層に提出して処理する前に、前記処理対象データが中継データであると確定した場合、前記処理対象データをアダプテーション層に提出して処理し、アダプテーション層により処理された前記処理対象データをパケットデータコンバージェンスプロトコルＰＤＣＰ層に提出して処理すること、又は
前記処理対象データをアダプテーション層に提出して処理した後に、前記処理対象データが中継データであると識別した場合、前記処理対象データをＰＤＣＰ層に提出して処理することを含むことを特徴とする請求項１〜１１のいずれか一項に記載の方法。
【請求項１４】
前記処理対象データが中継データであるか否かに応じて、前記処理対象データに対する操作を実行することは、
前記処理対象データが非中継データである場合、前記処理対象データをＰＤＣＰ層に提出して処理することを含むことを特徴とする請求項１〜１３のいずれか一項に記載の方法。
【請求項１５】
前記処理対象データはレイヤ２メッセージに属することを特徴とする請求項１〜１４のいずれか一項に記載の方法。
【請求項１６】
データ処理装置であって、
処理対象データを取得する取得ユニットと、
前記処理対象データに含まれる情報、前記処理対象データのためのリソース申請に使用のメッセージに含まれる情報、前記処理対象データのためのリソース申請に使用のメッセージの占用するリソース情報、及び前記処理対象データを取得するための情報のうちの少なくとも１種に基づき、前記処理対象データが中継データであるか否かを確定する確定ユニットと、
前記処理対象データが中継データであるか否かに応じて、前記処理対象データに対する操作を実行する処理ユニットと、を備えることを特徴とするデータ処理装置。
【請求項１７】
前記確定ユニットは具体的には、
前記処理対象データの物理層のデータ、メディアアクセス制御層ＭＡＣ層のプロトコルデータユニットＰＤＵに含まれる情報、無線リンク制御ＲＬＣ層のＰＤＵに含まれる情報、又はアダプテーション層のＰＤＵに含まれる情報に基づき、前記処理対象データが中継データであるか否かを確定することに用いられることを特徴とする請求項１６に記載の装置。
【請求項１８】
前記確定ユニットは具体的には、
前記処理対象データに含まれる中継情報指示フィールドが、前記処理対象データが中継データであることを指示する場合、前記処理対象データが中継データであると確定し、又は
前記処理対象データのアダプテーション層に遠隔端末の識別情報が含まれる場合、前記処理対象データが中継データであると確定し、又は、
前記処理対象データのアダプテーション層にベアラ識別情報が含まれる場合、前記処理対象データが中継データであると確定し、又は、
前記処理対象データのアダプテーション層に特定のベアラ識別情報が含まれる場合、前記処理対象データが中継データであると確定することに用いられることを特徴とする請求項１６又は１７に記載の装置。
【請求項１９】
前記中継情報指示フィールドは物理層制御チャネル、又は物理層サービスチャネルに含まれることを特徴とする請求項１８に記載の装置。
【請求項２０】
前記中継情報指示フィールドは、物理制御チャネルを通過するダウンリンク制御情報ＤＣＩ又はアップリンク制御情報ＵＣＩに含まれ、又は、
前記中継情報指示フィールドは物理層サービスチャネルの物理サービスチャネルデータのフロントエンドに含まれることを特徴とする請求項１９に記載の装置。
【請求項２１】
前記確定ユニットは具体的には、
前記処理対象データのためのリソース申請に使用のバッファステータスレポートＢＳＲに含まれる情報に基づき、前記処理対象データが中継データであるか否かを確定することに用いられることを特徴とする請求項１６又は１７に記載の装置。
【請求項２２】
前記確定ユニットは具体的には、
前記ＢＳＲに、申請するリソースを中継データに用いることを指示するための中継データ指示情報、遠隔端末の識別情報、又は中継特定のロジックチャネル情報が含まれる場合、前記処理対象データが中継データであると確定することに用いられることを特徴とする請求項２１に記載の装置。
【請求項２３】
前記確定ユニットは具体的には、
前記処理対象データのためのリソース申請に使用のスケジューリング要求の占用する時間領域リソース、周波数領域リソース、コード領域リソース及び電力リソースのうちの少なくとも１種に基づき、前記処理対象データが中継データであるか否かを確定することに用いられることを特徴とする請求項１６、１７又は２１に記載の装置。
【請求項２４】
前記確定ユニットは具体的には、
前記スケジューリング要求の占用する時間領域リソースが中継特定の時間領域リソースであり、及び／又は前記スケジューリング要求の占用する周波数領域リソースが中継特定の周波数領域リソースであり、及び／又は前記スケジューリング要求の占用するコード領域リソースが中継特定のコード領域リソースであり、及び／又は前記スケジューリング要求の占用する空間領域リソースが中継特定の空間領域リソースであり、及び／又は前記スケジューリング要求の占用する電力リソースが中継特定の電力リソースである場合、前記処理対象データが中継データであると確定することに用いられることを特徴とする請求項２３に記載の装置。
【請求項２５】
前記確定ユニットは具体的には、
前記処理対象データを取得するためのセル無線ネットワーク一時識別子Ｃ−ＲＮＴＩに基づき、前記処理対象データが中継データであるか否かを確定することに用いられることを特徴とする請求項１６、１７、２１又は２３に記載の装置。
【請求項２６】
前記確定ユニットは具体的には、
前記処理対象データを取得するためのＣ−ＲＮＴＩが中継特定のＣ−ＲＮＴＩである場合、前記処理対象データが中継データであると確定することに用いられることを特徴とする請求項２５に記載の装置。
【請求項２７】
前記データ処理装置は中継端末装置であり、前記処理ユニットは具体的には、
前記処理対象データをアダプテーション層に提出して処理する前に、前記処理対象データが中継データであると確定した場合、前記処理対象データをアダプテーション層に提出して処理し、アダプテーション層により処理された前記処理対象データを遠隔端末又はネットワーク装置に中継し、又は
前記処理対象データをアダプテーション層に提出して処理した後に、前記処理対象データが中継データであると識別した場合、前記データを遠隔端末又はネットワーク装置に中継することに用いられることを特徴とする請求項１６〜２６のいずれか一項に記載の装置。
【請求項２８】
前記データ処理装置はネットワーク装置であり、前記処理ユニットは具体的には、
前記処理対象データをアダプテーション層に提出して処理する前に、前記処理対象データが中継データであると確定した場合、前記処理対象データをアダプテーション層に提出して処理し、アダプテーション層により処理された前記処理対象データをＰＤＣＰ層に提出して処理し、又は
前記処理対象データをアダプテーション層に提出して処理した後に、前記処理対象データが中継データであると識別した場合、前記処理対象データをＰＤＣＰ層に提出して処理することに用いられることを特徴とする請求項１６〜２６のいずれか一項に記載の装置。
【請求項２９】
前記処理ユニットは具体的には、
前記処理対象データが非中継データである場合、前記処理対象データをＰＤＣＰ層に提出して処理することに用いられることを特徴とする請求項１６〜２８のいずれか一項に記載の装置。
【請求項３０】
前記処理対象データはレイヤ２メッセージに属することを特徴とする請求項１６〜２９のいずれか一項に記載の装置。
【発明の詳細な説明】
【技術分野】
【０００１】
本願は通信分野に関し、より具体的には、データ処理方法及び装置に関する。
【背景技術】
【０００２】
端末間通信（Ｄｅｖｉｃｅ−ｔｏ−Ｄｅｖｉｃｅ、Ｄ２Ｄ）技術とは、隣接する端末装置が近距離範囲内にサイドリンクの方式でデータ伝送を行うものである。
【０００３】
Ｄ２Ｄ中継によってネットワーク装置と遠隔端末装置との間のデータ伝送を支援できる場合、Ｄ２Ｄ中継用の端末装置と遠隔端末との間ではＤ２Ｄ通信モードを採用するが、Ｄ２Ｄ中継用の端末装置とネットワーク装置との間ではセルラー通信モードを採用し、ここで、ネットワーク装置と端末装置との通信を支援するための端末装置は中継端末装置と呼称され、該中継端末装置はほかの端末装置を支援しない方式で直接ネットワーク装置と通信してもよい。
【０００４】
ネットワーク装置又は中継端末装置にとって、取得したデータが中継データであるか否かを如何に正確に識別するかは解決すべき緊急の課題である。
【発明の概要】
【発明が解決しようとする課題】
【０００５】
本願の実施例は、取得したデータが中継データであるか否かを正確に識別できるデータ処理方法及び装置を提供する。
【課題を解決するための手段】
【０００６】
第１態様はデータ処理方法を提供し、
受信側は処理対象データを取得することと、
前記処理対象データに含まれる情報、前記処理対象データのためのリソース申請に使用のメッセージに含まれる情報、前記処理対象データのためのリソース申請に使用のメッセージの占用するリソース情報、及び前記処理対象データを取得するための情報のうちの少なくとも１種に基づき、前記処理対象データが中継データであるか否かを確定することと、
前記処理対象データが中継データであるか否かに応じて、前記処理対象データに対する操作を実行することと、を含む。
【０００７】
選択肢として、前記処理対象データに含まれる情報に基づき、前記処理対象データが中継データであるか否かを確定することは、
前記処理対象データの物理層のデータ、メディアアクセス制御層（Ｍｅｄｉａ  Ａｃｃｅｓｓ  Ｃｏｎｔｒｏｌ、ＭＡＣ）のプロトコルデータユニット（Ｐｒｏｔｏｃｏｌ  Ｄａｔａ  Ｕｎｉｔ、ＰＤＵ）に含まれる情報、無線リンク制御（Ｒａｄｉｏ  Ｌｉｎｋ  Ｃｏｎｔｒｏｌ、ＲＬＣ）層のＰＤＵに含まれる情報、又はアダプテーション層のＰＤＵに含まれる情報に基づき、前記処理対象データが中継データであるか否かを確定することを含む。
【０００８】
選択肢として、前記処理対象データに含まれる情報に基づき、前記処理対象データが中継データであるか否かを確定することは、
前記処理対象データに含まれる中継情報指示フィールドが、前記処理対象データが中継データであることを指示する場合、前記処理対象データが中継データであると確定すること、又は
前記処理対象データのアダプテーション層に遠隔端末の識別情報が含まれる場合、前記処理対象データが中継データであると確定すること、又は、
前記処理対象データのアダプテーション層にベアラ識別情報が含まれる場合、前記処理対象データが中継データであると確定すること、又は、
前記処理対象データのアダプテーション層に特定のベアラ識別情報が含まれる場合、前記処理対象データが中継データであると確定することを含む。
【０００９】
選択肢として、前記中継情報指示フィールドは物理層制御チャネル、又は物理層サービスチャネルに含まれる。
【００１０】
選択肢として、前記中継情報指示フィールドは、物理制御チャネルを通過するダウンリンク制御情報（Ｄｏｗｎｌｉｎｋ  Ｃｏｎｔｒｏｌ  Ｉｎｆｏｒｍａｔｉｏｎ、ＤＣＩ）又はアップリンク制御情報（Ｕｐｌｉｎｋ  Ｃｏｎｔｒｏｌ  Ｉｎｆｏｒｍａｔｉｏｎ、ＵＣＩ）に含まれ、又は、
前記中継情報指示フィールドは物理層サービスチャネルの物理サービスチャネルデータのフロントエンドに含まれる。
【００１１】
選択肢として、前記処理対象データのためのリソース申請に使用のメッセージに含まれる情報に基づき、前記処理対象データが中継データであるか否かを確定することは、
前記処理対象データのためのリソース申請に使用のバッファステータスレポート（Ｂｕｆｆｅｒ  Ｓｔａｔｕｓ  Ｒｅｐｏｒｔ、ＢＳＲ）に含まれる情報に基づき、前記処理対象データが中継データであるか否かを確定することを含む。
【００１２】
選択肢として、前記処理対象データのためのリソース申請に使用のＢＳＲに含まれる情報に基づき、前記処理対象データが中継データであるか否かを確定することは、
前記ＢＳＲに、申請するリソースを中継データに用いることを指示するための中継データ指示情報、遠隔端末の識別情報、又は中継特定のロジックチャネル情報が含まれる場合、前記処理対象データが中継データであると確定することを含む。
【００１３】
選択肢として、前記処理対象データのためのリソース申請に使用のメッセージの占用するリソース情報に基づき、前記処理対象データが中継データであるか否かを確定することは、
前記処理対象データのためのリソース申請に使用のスケジューリング要求の占用する時間領域リソース、周波数領域リソース、コード領域リソース及び電力リソースのうちの少なくとも１種に基づき、前記処理対象データが中継データであるか否かを確定することを含む。
【００１４】
選択肢として、前記処理対象データのためのリソース申請に使用のスケジューリング要求の占用する時間領域リソース、周波数領域リソース、コード領域リソース及び電力リソースのうちの少なくとも１種に基づき、前記処理対象データが中継データであるか否かを確定することは、
前記スケジューリング要求の占用する時間領域リソースが中継特定の時間領域リソースであり、及び／又は前記スケジューリング要求の占用する周波数領域リソースが中継特定の周波数領域リソースであり、及び／又は前記スケジューリング要求の占用するコード領域リソースが中継特定のコード領域リソースであり、及び／又は前記スケジューリング要求の占用する空間領域リソースが中継特定の空間領域リソースであり、及び／又は前記スケジューリング要求の占用する電力リソースが中継特定の電力リソースである場合、前記処理対象データが中継データであると確定することを含む。
【００１５】
選択肢として、前記処理対象データを取得するための情報に基づき、前記処理対象データが中継データであるか否かを確定することは、
前記処理対象データを取得するためのセル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｔｙ、Ｃ−ＲＮＴＩ）に基づき、前記処理対象データが中継データであるか否かを確定することを含む。
【００１６】
選択肢として、前記処理対象データを取得するためのＣ−ＲＮＴＩに基づき、前記処理対象データが中継データであるか否かを確定することは、
前記処理対象データを取得するためのＣ−ＲＮＴＩが中継特定のＣ−ＲＮＴＩである場合、前記処理対象データが中継データであると確定することを含む。
【００１７】
選択肢として、前記受信側は中継端末装置であり、前記処理対象データが中継データであるか否かに応じて、前記処理対象データに対する操作を実行することは、
前記処理対象データをアダプテーション層に提出して処理する前に、前記処理対象データが中継データであると確定した場合、前記処理対象データをアダプテーション層に提出して処理し、アダプテーション層により処理された前記処理対象データを遠隔端末又はネットワーク装置に中継すること、又は
前記処理対象データをアダプテーション層に提出して処理した後に、前記処理対象データが中継データであると識別した場合、前記データを遠隔端末又はネットワーク装置に中継することを含む。
【００１８】
選択肢として、前記受信側はネットワーク装置であり、前記処理対象データが中継データであるか否かに応じて、前記処理対象データに対する操作を実行することは、
前記処理対象データをアダプテーション層に提出して処理する前に、前記処理対象データが中継データであると確定した場合、前記処理対象データをアダプテーション層に提出して処理し、アダプテーション層により処理された前記処理対象データをパケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）層に提出して処理すること、又は
前記処理対象データをアダプテーション層に提出して処理した後に、前記処理対象データが中継データであると識別した場合、前記処理対象データをＰＤＣＰ層に提出して処理することを含む。
【００１９】
選択肢として、前記処理対象データが中継データであるか否かに応じて、前記処理対象データに対する操作を実行することは、
前記処理対象データが非中継データである場合、前記処理対象データをＰＤＣＰ層に提出して処理することを含む。
【００２０】
選択肢として、前記処理対象データはレイヤ２メッセージに属する。
【００２１】
第２態様はデータ処理装置を提供し、該装置は第１態様又はその選択肢としての実施形態のいずれかに記載の方法を実行するユニットを備えてもよい。
【００２２】
第３態様はデータ処理装置を提供し、該装置はプロセッサ及びメモリを備える。該メモリはプロクラムコードを記憶し、該プロセッサはメモリに記憶されるプログラムコードを呼び出して第１態様又はその実施形態のいずれかに記載の方法を実行する。
【００２３】
第４態様はコンピュータ可読媒体を提供し、前記コンピュータ可読媒体は端末装置により実行されるプログラムコードを記憶し、前記プログラムコードは第１態様又はその実施形態のいずれかに記載の方法を実行するためのコマンドを含む。
【発明の効果】
【００２４】
従って、本願の実施例では、前記処理対象データに含まれる情報、前記処理対象データのためのリソース申請に使用のメッセージに含まれる情報、前記処理対象データのためのリソース申請に使用のメッセージの占用するリソース情報、及び前記処理対象データを取得するための情報のうちの少なくとも１種に基づき、前記処理対象データが中継データであるか否かを確定することで、処理対象データが中継データであるか否かを正確に確定でき、それにより前記処理対象データが中継データであるか否かに応じて、前記処理対象データに対する操作を実行することができる。
【図面の簡単な説明】
【００２５】
本願の実施例の技術案をより明確に説明するために、以下、実施例又は従来技術の説明に使用される図面を簡単に説明する。明らかに、以下に説明する図面は本願のいくつかの実施例に過ぎず、当業者であれば、創造的な労力を払わない前提で、これらの図面に基づきほかの図面を想到し得る。
【００２６】
【図１】図１は本願の実施例に係る無線通信システムの模式的な図である。
【図２】図２ａ及び図２ｂは本願の実施例に係るプロトコルスタックの模式的な図である。
【図３】図３は本願の実施例に係るデータ処理方法の模式的なフローチャートである。
【図４】図４は本願の実施例に係るデータ処理装置の模式的なブロック図である。
【図５】図５は本願の実施例に係るデータ処理装置の模式的なブロック図である。
【発明を実施するための形態】
【００２７】
以下、本願の実施例の図面を参照して、本願の実施例の技術案を明確かつ完全に説明する。明らかに、説明する実施例は本願の一部の実施例であり、すべての実施例ではない。本願の実施例に基づき、当業者が創造的な労力を払わない前提で想到し得るほかの実施例はすべて本願の保護範囲に属する。
【００２８】
なお、本明細書では、用語「システム」と「ネットワーク」とはしばしば交換可能に使用されている。本明細書では、用語「及び／又は」は、関連対象の関連関係を説明するためのものであり、３種の関係が存在することを示し、たとえば、Ａ及び／又はＢは、Ａのみが存在する場合、ＡとＢが同時に存在する場合、Ｂのみが存在する場合を含む。また、本明細書では、文字「／」は、一般には、前後の関連対象が「又は」の関係にあることを示す。
【００２９】
図１は本願の実施例に係る無線通信システム１００の模式的な図であり、該無線通信システム１００は少なくとも１つのネットワーク装置１１０を備えてもよい。ネットワーク装置１００は端末装置と通信する装置であってもよい。各ネットワーク装置１００は特定の地域に通信カバレッジを提供し、且つ該カバレッジエリア内に位置する端末装置と通信することができる。該ネットワーク装置１００はＧＳＭシステム又は符号分割多元接続（Ｃｏｄｅ  Ｄｉｖｉｓｉｏｎ  Ｍｕｌｔｉｐｌｅ  Ａｃｃｅｓｓ、ＣＤＭＡ）システムの基地局（Ｂａｓｅ  Ｔｒａｎｓｃｅｉｖｅｒ  Ｓｔａｔｉｏｎ、ＢＴＳ）であってもよく、ＷＣＤＭＡシステムの基地局（ＮｏｄｅＢ、ＮＢ）であってもよく、ＬＴＥシステムの進化型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）の無線コントローラであってもよく、又は該ネットワーク装置は中継局、アクセスポイント、車載装置、ウェアラブル装置、将来の５Ｇネットワークのネットワーク側装置又は将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）のネットワーク装置等であってもよい。
【００３０】
該無線通信システム１００は複数の端末装置、たとえば、図１に示される端末装置１２１、１２２、１２３、１２４、１２５及び１２６をさらに備えてもよい。該端末装置は移動的なもの又は固定的なものであってもよい。該端末装置は、アクセス端末、ユーザー装置（Ｕｓｅｒ  Ｅｑｕｉｐｍｅｎｔ、ＵＥ）、ユーザー要素、加入者ステーション、移動局、トラバーサー、遠隔局、遠隔端末、移動装置、ユーザー端末、端末、無線通信装置、ユーザーエージェント又はユーザーデバイスを指してもよい。アクセス端末はセルラー方式の電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（Ｗｉｒｅｌｅｓｓ  Ｌｏｃａｌ  Ｌｏｏｐ、ＷＬＬ）局、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティング装置又は無線モデムに接続されるほかの処理装置、車載装置、ウェアラブル装置、将来の５Ｇネットワークの端末装置又は将来の進化型ＰＬＭＮの端末装置等であってもよい。
【００３１】
図１は１つのネットワーク装置及び６つの端末装置を例示したが、選択肢として、該無線通信システム１００は複数のネットワーク装置及びほかの数の端末装置を備えてもよく、本願の実施例ではそれを限定しない。また、該無線通信システム１００はモバイル管理エンテイティ（Ｍｏｂｉｌｅ  Ｍａｎａｇｅｍｅｎｔ  Ｅｎｔｉｔｙ、ＭＭＥ）、サービングゲートウエイ（Ｓｅｒｖｉｎｇ  Ｇａｔｅｗａｙ、Ｓ−ＧＷ）、パケットデータネットワークゲートウェイ（Ｐａｃｋｅｔ  Ｄａｔａ  Ｎｅｔｗｏｒｋ  Ｇａｔｅｗａｙ、Ｐ−ＧＷ）等のほかのネットワークエンテイティをさらに備えてもよいが、本願の実施例はそれに限定されない。
【００３２】
具体的には、端末装置はセルラー通信モード又はＤ２Ｄ通信モードで通信可能であり、セルラー通信モードでは、端末装置はネットワーク装置を介してほかの端末装置と通信し、Ｄ２Ｄ通信モードでは、端末装置はＤ２Ｄリンクを介して直接ほかの端末装置と通信できる。
【００３３】
図１に示される複数の端末装置のうち、端末装置１２１と端末装置１２５は遠隔端末装置と呼称され、該端末装置１２１と端末装置１２５はそれぞれ中継端末装置１２２と１２４を介してネットワーク装置１１０と通信できる。端末装置１２２と端末装置１２４は遠隔端末装置１２１及び遠隔端末装置１２５とネットワーク装置１１０との間のデータを中継でき、この時、端末装置１２２と端末装置１２４は中継端末装置と呼称され、該中継端末装置１２２と１２４はほかの端末装置を支援しない方式で直接ネットワーク装置と通信してもよい。端末装置１２３は中継端末装置を介せずにネットワーク装置１１０と通信してもよく、ほかの端末装置を中継せずにネットワーク装置１１０と通信してもよい。
【００３４】
端末装置１２２、１２３、１２４及び１２６はネットワーク装置１１０との間にＵｕインタフェースを有し、セルラー通信技術でネットワーク装置１１０と通信できる。中継端末装置と遠隔端末装置の間はＰＣ５インタフェースを有し、Ｄ２Ｄ通信技術で通信し、ここで、該Ｄ２Ｄ通信技術は、具体的には、ＬＴＥのサイドリンク（ＳｉｄｅＬｉｎｋ、ＳＬ）技術であってもよく、ＷＬＡＮのＷＩＦＩ又はブルートゥース等の技術であってもよく、又はほかのＤ２Ｄ通信技術であってもよく、本願の実施例では、それを限定しない。当然ながら、端末装置１２１と端末装置１２５は中継端末装置を介せずに直接ネットワーク装置１１０と通信してもよく、この時、端末装置１２１及び端末装置１２５はネットワーク装置との間にＵｕインタフェースを有し、セルラー通信技術でネットワーク装置１１０と通信できる。
【００３５】
本願の実施例では、中継端末装置と遠隔端末装置の間ではレイヤ２中継の方式でデータ伝送を行ってもよく、この時、ＵｕインタフェースもＰＣ５インタフェースもレイヤ２ＰＤＵ（たとえば、ＭＡＣ  ＰＤＵ、ＲＬＣ  ＰＤＵ又はＰＤＣＰ  ＰＤＵ）の方式で中継伝送を行うことができる。
【００３６】
図２ａは遠隔端末装置、中継端末装置、基地局及びコアネットワークの間でデータを伝送するプロトコルスタックを示す。図２ｂは端末装置と基地局、サービングゲートウエイとパケットデータネットワークゲートウェイの間でユーザープレーンデータを伝送する時に採用されるプロトコルスタックを示す。
【００３７】
図２ａに示すように、遠隔端末装置、中継端末装置及びネットワーク装置のレイヤ２はアダプテーション層を有する。遠隔端末装置と中継端末装置は中継データを伝送する時、アダプテーション層及びＤ２Ｄ通信技術に対応する下位層により処理されたメッセージを伝送でき、該Ｄ２Ｄ通信技術が具体的にＬＴＥのサイドリンク技術である場合、該下位層は具体的にＭＡＣ層及び物理（Ｐｈｙｓｉｃａｌ、ＰＨＹ）層であってもよく、該Ｄ２Ｄ通信技術がほかの通信技術、たとえば、ブルートゥース又はＷＩＦＩ技術等である場合、該下位層は該ほかの通信技術中の、ＭＡＣ層と物理層に対応する層であってもよく、中継端末装置と基地局の間では、ＰＨＹ層、ＭＡＣ層、ＲＬＣ層及びアダプテーション層により処理されたメッセージを伝送でき、遠隔端末装置が直接基地局と通信する場合、ＰＤＣＰ層により処理されたメッセージを伝送でき、遠隔端末装置がコアネットワークと通信する場合、インターネットプロトコル（Ｉｎｔｅｒｎａｌ  Ｐｒｏｔｏｃｏｌ、ＩＰ）層により処理されたメッセージを伝送できる。
【００３８】
選択肢として、該アダプテーション層はＲＬＣ層とＰＤＣＰとの間に位置してもよく、本願の実施例では、それを限定しない。
【００３９】
図２ｂに示すように、端末装置と基地局との間では、Ｌ１（Ｌａｙｅｒ  １、レイヤ１）、ＭＡＣ、ＲＬＣ及びＰＤＣＰ層により処理されたメッセージを伝送してもよく、基地局とサービングゲートウエイとの間では、Ｌ１、Ｌ２（Ｌａｙｅｒ  ２、レイヤ２）、ＵＤＰ／ＩＰ及びＧＴＰ−Ｕ層により処理されたメッセージを伝送してもよく、サービングゲートウエイとパケットデータネットワークゲートウェイとの間では、Ｌ１、Ｌ２、ＵＤＰ／ＩＰ（ＵＤＰはユーザーデータグラムプロトコル（Ｕｓｅｒ  Ｄａｔａｇｒａｍ  Ｐｒｏｔｏｃｏｌ））とＧＴＰ−Ｕ（ユーザープレーン用のＧＰＲＳ（汎用パケット無線サービス、Ｇｅｎｅｒａｌ  Ｐａｃｋｅｔ  Ｒａｄｉｏ  Ｓｅｒｖｉｃｅ）トンネリングプロトコル、ＧＰＲＳ  Ｔｕｎｎｅｌｌｉｎｇ  Ｐｒｏｔｏｃｏｌ  ｆｏｒ  ｔｈｅ  ｕｓｅｒ  ｐｌａｎｅ）層により処理されたメッセージを伝送してもよい。
【００４０】
以上の説明から分かるように、端末装置が中継端末装置としてネットワーク装置及び遠隔端末装置と通信する時に実行する処理は、非中継端末装置としてネットワーク装置と通信する時に実行する処理と異なり、且つネットワーク装置が中継データを処理する操作も、非中継データを処理する操作と異なるため、本願の実施例はデータ処理方法を提供し、中継端末装置とネットワーク装置は取得したデータが中継データであるか否かを識別し、該データが中継データであるか否かに応じて、相応的な操作を実行できる。
【００４１】
図３は本願の実施例に係るデータ処理方法２００を模式的に示す。該方法２００は上記無線通信システム１００に適用できるが、本願の実施例はそれに限定されない。
【００４２】
図３に示すように、該方法２００は、ステップ２１０〜ステップ２３０を含む。
２１０では、受信側が処理対象データを取得する。
【００４３】
具体的には、該方法２００はアップリンクデータの中継伝送に適用でき、すなわち遠隔端末装置が中継端末装置を介してネットワーク装置にアップリンクデータを伝送し、この場合、送信側装置は具体的には遠隔端末装置であり、受信側は中継端末装置又はネットワーク装置であってもよい。選択肢として、該方法２００はダウンリンクデータの中継伝送にも適用でき、すなわちネットワーク装置が中継端末装置を介して遠隔端末装置にダウンリンクデータを伝送し、この場合、送信側装置はネットワーク装置であり、受信側は中継端末装置であってもよく、本願の実施例では、それを限定しない。
【００４４】
選択肢として、該処理対象データはレイヤ２カプセル化メッセージに属する。
【００４５】
２２０では、該処理対象データに含まれる情報、該処理対象データのためのリソース申請に使用のメッセージに含まれる情報、該処理対象データのためのリソース申請に使用のメッセージの占用するリソース情報、及び該処理対象データを取得するための情報のうちの少なくとも１種に基づき、該処理対象データが中継データであるか否かを確定する。
【００４６】
選択肢として、該処理対象データの物理層のデータ、ＭＡＣ層のＰＤＵに含まれる情報、ＲＬＣ層のＰＤＵに含まれる情報、又はアダプテーション層のＰＤＵに含まれる情報に基づき、該処理対象データが中継データであるか否かを確定する。
【００４７】
選択肢として、処理対象データに含まれる情報に基づき、該処理対象データが中継データであるか否かを確定してもよいが、その場合、処理対象データに含まれる情報のみに基づき、該処理対象データが中継データであるか否かを確定してもよく、ほかの情報、たとえば、該処理対象データを取得するための情報と組み合わせて、該処理対象データが中継データであるか否かを確定してもよい。
【００４８】
一実施形態では、該処理対象データに含まれる中継情報指示フィールドが、該処理対象データが中継データであることを指示する場合、該処理対象データが中継データであると確定する。
【００４９】
選択肢として、該中継情報指示フィールドは物理層制御チャネル、又は物理層サービスチャネルに含まれる。
【００５０】
選択肢として、該中継情報指示フィールドは物理制御チャネルを通過するＤＣＩ又はＵＣＩに含まれ、又は、該中継情報指示フィールドは物理層サービスチャネルの物理サービスチャネルデータのフロントエンドに含まれ、フロントエンドとは、時間領域において物理サービスチャネルデータの前の方にあることを意味できる。
【００５１】
選択肢として、該中継情報指示フィールドは１ビットのフィールドであってもよく、たとえば、１は該処理対象データが中継データであること、０は該処理対象データが非中継データであることを示してもよい。
【００５２】
一実施形態では、該処理対象データのアダプテーション層に遠隔端末の識別情報が含まれる場合、該処理対象データが中継データであると確定する。
【００５３】
一実施形態では、該処理対象データのアダプテーション層にベアラ識別情報が含まれる場合、該処理対象データが中継データであると確定する。
【００５４】
一実施形態では、該処理対象データのアダプテーション層に特定のベアラ識別情報が含まれる場合、該処理対象データが中継データであると確定する。
【００５５】
選択肢として、該特定のベアラ識別情報はプロトコルによって規定されてもよく、ネットワーク装置によって設定されてもよい。
【００５６】
選択肢として、該処理対象データのためのリソース申請に使用のバッファステータスレポート（Ｂｕｆｆｅｒ  Ｓｔａｔｅ  Ｒｅｐｏｒｔ、ＢＳＲ）に含まれる情報に基づき、該処理対象データが中継データであるか否かを確定し、この場合、該処理対象データのためのリソース申請に使用のＢＳＲに含まれる情報のみを用いて中継データの識別を行ってもよく、ほかの情報、たとえば、処理対象データに含まれる情報と組み合わせて、中継データの識別を行ってもよい。
【００５７】
選択肢として、該ＢＳＲに、申請するリソースを中継データに用いることを指示するための中継データ指示情報、遠隔端末の識別情報、又は中継特定のロジックチャネル情報が含まれる場合、該処理対象データが中継データであると確定する。
【００５８】
具体的には、ＢＳＲは中継データ指示フィールドを有してもよく、もし該中継データ指示フィールドに含まれる情報は申請するリソースが中継データに用いられると使用される場合、該ＢＳＲの対応する該処理対象データが中継データであると確定し、この場合、該中継データ指示フィールドは１ビットのフィールドであってもよく、たとえば、１は申請するリソースが中継データに用いられること、０は申請するリソースが中継データに用いられることを示してもよい。
【００５９】
選択肢として、該処理対象データのためのリソース申請に使用のスケジューリング要求の占用する時間領域リソース、周波数領域リソース、コード領域リソース（たとえば、プリアンブル）及び電力リソース（たとえば、受信電力区間）のうちの少なくとも１種に基づき、該処理対象データが中継データであるか否かを確定し、ここで、該処理対象データのためのリソース申請に使用のスケジューリング要求の占用するリソース情報のみに基づき中継データの識別を行ってもよく、ほかの情報と組み合わせて中継データの識別を行ってもよいが、ここで具体的に限定しない。
【００６０】
選択肢として、該スケジューリング要求の占用する時間領域リソースが中継特定の時間領域リソース、及び／又は該スケジューリング要求の占用する周波数領域リソースが中継特定の周波数領域リソース、及び／又は該スケジューリング要求の占用するコード領域リソースが中継特定のコード領域リソース、及び／又は該スケジューリング要求の占用する空間領域リソースが中継特定の空間領域リソース、及び／又は該スケジューリング要求の占用する電力リソースが中継特定の電力リソースである場合、該処理対象データが中継データであると確定する。
【００６１】
選択肢として、該中継特定の時間領域リソース、及び／又は該中継特定の周波数領域リソース、及び／又は該中継特定のコード領域リソース、及び／又は該中継特定の空間領域リソース、及び／又は該中継特定の電力リソースはプロトコルによって規定されてもよく、ネットワーク装置によって設定されてもよい。
【００６２】
選択肢として、スケジューリング要求により申請されるリソースはＢＳＲを伝送することに用いられてもよく、ＢＳＲは処理対象データのデータ量を含んでもよく、処理対象データのために具体的な伝送リソースを申請することに用いられる。
【００６３】
選択肢として、該処理対象データを取得するためのＣ−ＲＮＴＩに基づき、該処理対象データが中継データであるか否かを確定し、この場合、Ｃ−ＲＮＴＩのみに基づき中継データの識別を行ってもよく、ほかの情報と組み合わせて中継データの識別を行ってもよく、ここで具体的に限定しない。
【００６４】
選択肢として、該処理対象データを取得するためのＣ−ＲＮＴＩが中継特定のＣ−ＲＮＴＩである場合、該処理対象データが中継データであると確定する。
【００６５】
選択肢として、該中継特定のＣ−ＲＮＴＩはプロトコルによって規定されてもよく、ネットワーク装置によって設定されてもよい。
【００６６】
選択肢として、本願の実施例では、処理対象データのアダプテーション層に含まれる遠隔端末の識別情報、アダプテーション層のベアラ識別情報、該処理対象データのためのリソース申請に使用のメッセージの占用するリソース情報、及び／又は該処理対象データを取得するための情報を用いて中継データの判断を行い、それはデータが中継データであるか否かを暗黙的に指示するということだと言ってもよく、専用の中継データ指示リソースが不要で、リソースオーバーヘッドを減少させることができる。
【００６７】
２３０では、該処理対象データが中継データであるか否かに応じて、該処理対象データに対する操作を実行する。
【００６８】
選択肢として、該受信側は中継端末装置であり、中継端末装置は該処理対象データをアダプテーション層に提出して処理する前に、該処理対象データが中継データであると確定した場合、該処理対象データをアダプテーション層に提出して処理し、アダプテーション層により処理された該処理対象データを遠隔端末又はネットワーク装置に中継する。
【００６９】
選択肢として、該受信側は中継端末装置であり、中継端末装置は該処理対象データをアダプテーション層に提出して処理した後に、該処理対象データが中継データであると識別した場合、該データを遠隔端末又はネットワーク装置に中継する。
【００７０】
選択肢として、該受信側はネットワーク装置であり、ネットワーク装置は該処理対象データをアダプテーション層に提出して処理する前に、該処理対象データが中継データであると確定した場合、該処理対象データをアダプテーション層に提出して処理し、アダプテーション層により処理された該処理対象データをＰＤＣＰ層に提出して処理する。
【００７１】
選択肢として、該受信側はネットワーク装置であり、ネットワーク装置は該処理対象データをアダプテーション層に提出して処理した後に、該処理対象データが中継データであると識別した場合、該処理対象データをＰＤＣＰ層に提出して処理する。
【００７２】
選択肢として、該処理対象データが非中継データである場合、該処理対象データをＰＤＣＰ層に提出して処理し、この時、該受信側はネットワーク装置であってもよく、中継端末装置であってもよい。
【００７３】
従って、本願の実施例では、前記処理対象データに含まれる情報、前記処理対象データのためのリソース申請に使用のメッセージに含まれる情報、前記処理対象データのためのリソース申請に使用のメッセージの占用するリソース情報、及び前記処理対象データを取得するための情報のうちの少なくとも１種に基づき、前記処理対象データが中継データであるか否かを確定することで、処理対象データが中継データであるか否かを正確に確定でき、それにより前記処理対象データが中継データであるか否かに応じて、前記処理対象データに対する操作を実行できる。
【００７４】
図４は本願の実施例に係るデータ処理装置４００の模式的なブロック図である。図４に示すように、該データ処理装置４００は取得ユニット４１０、確定ユニット４２０及び処理ユニット４３０を備える。
【００７５】
取得ユニット４１０は、処理対象データを取得することに用いられ、確定ユニット４２０は、前記処理対象データに含まれる情報、前記処理対象データのためのリソース申請に使用のメッセージに含まれる情報、前記処理対象データのためのリソース申請に使用のメッセージの占用するリソース情報、及び前記処理対象データを取得するための情報のうちの少なくとも１種に基づき、前記処理対象データが中継データであるか否かを確定することに用いられ、処理ユニット４３０は、前記処理対象データが中継データであるか否かに応じて、前記処理対象データに対する操作を実行することに用いられる。
【００７６】
選択肢として、前記確定ユニット４２０は具体的には、
前記処理対象データの物理層のデータ、メディアアクセス制御層ＭＡＣ層のプロトコルデータユニットＰＤＵに含まれる情報、無線リンク制御ＲＬＣ層のＰＤＵに含まれる情報、又はアダプテーション層のＰＤＵに含まれる情報に基づき、前記処理対象データが中継データであるか否かを確定することに用いられる。
【００７７】
選択肢として、前記確定ユニット４２０は具体的には、
前記処理対象データに含まれる中継情報指示フィールドが、前記処理対象データが中継データであることを指示する場合、前記処理対象データが中継データであると確定し、又は
前記処理対象データのアダプテーション層に遠隔端末の識別情報が含まれる場合、前記処理対象データが中継データであると確定し、又は、
前記処理対象データのアダプテーション層にベアラ識別情報が含まれる場合、前記処理対象データが中継データであると確定し、又は、
前記処理対象データのアダプテーション層に特定のベアラ識別情報が含まれる場合、前記処理対象データが中継データであると確定することに用いられる。
【００７８】
選択肢として、前記中継情報指示フィールドは物理層制御チャネル、又は物理層サービスチャネルに含まれる。
【００７９】
選択肢として、前記中継情報指示フィールドは、物理制御チャネルを通過するダウンリンク制御情報ＤＣＩ又はアップリンク制御情報ＵＣＩに含まれ、又は、
前記中継情報指示フィールドは物理層サービスチャネルの物理サービスチャネルデータのフロントエンドに含まれる。
【００８０】
選択肢として、前記確定ユニット４２０は具体的には、
前記処理対象データのためのリソース申請に使用のバッファステータスレポートＢＳＲに含まれる情報に基づき、前記処理対象データが中継データであるか否かを確定することに用いられる。
【００８１】
選択肢として、前記確定ユニット４２０は具体的には、
前記ＢＳＲに、申請するリソースを中継データに用いることを指示するための中継データ指示情報、遠隔端末の識別情報、又は中継特定のロジックチャネル情報が含まれる場合、前記処理対象データが中継データであると確定することに用いられる。
【００８２】
選択肢として、前記確定ユニット４２０は具体的には、
前記処理対象データのためのリソース申請に使用のスケジューリング要求の占用する時間領域リソース、周波数領域リソース、コード領域リソース及び電力リソースのうちの少なくとも１種に基づき、前記処理対象データが中継データであるか否かを確定することに用いられる。
【００８３】
選択肢として、前記確定ユニット４２０は具体的には、
前記スケジューリング要求の占用する時間領域リソースが中継特定の時間領域リソースであり、及び／又は前記スケジューリング要求の占用する周波数領域リソースが中継特定の周波数領域リソースであり、及び／又は前記スケジューリング要求の占用するコード領域リソースが中継特定のコード領域リソースであり、及び／又は前記スケジューリング要求の占用する空間領域リソースが中継特定の空間領域リソースであり、及び／又は前記スケジューリング要求の占用する電力リソースが中継特定の電力リソースである場合、前記処理対象データが中継データであると確定することに用いられる。
【００８４】
選択肢として、前記確定ユニット４２０は具体的には、
前記処理対象データを取得するためのセル無線ネットワーク一時識別子Ｃ−ＲＮＴＩに基づき、前記処理対象データが中継データであるか否かを確定することに用いられる。
【００８５】
選択肢として、前記確定ユニット４２０は具体的には、
前記処理対象データを取得するためのＣ−ＲＮＴＩが中継特定のＣ−ＲＮＴＩである場合、前記処理対象データが中継データであると確定することに用いられる。
【００８６】
選択肢として、前記データ処理装置４００は中継端末装置であり、前記処理ユニット４３０は具体的には、
前記処理対象データをアダプテーション層に提出して処理する前に、前記処理対象データが中継データであると確定した場合、前記処理対象データをアダプテーション層に提出して処理し、アダプテーション層により処理された前記処理対象データを遠隔端末又はネットワーク装置に中継し、又は
前記処理対象データをアダプテーション層に提出して処理した後に、前記処理対象データが中継データであると識別した場合、前記データを遠隔端末又はネットワーク装置に中継することに用いられる。
【００８７】
選択肢として、前記データ処理装置４００はネットワーク装置であり、前記処理ユニット４３０は具体的には、
前記処理対象データをアダプテーション層に提出して処理する前に、前記処理対象データが中継データであると確定した場合、前記処理対象データをアダプテーション層に提出して処理し、アダプテーション層により処理された前記処理対象データをＰＤＣＰ層に提出して処理し、又は
前記処理対象データをアダプテーション層に提出して処理した後に、前記処理対象データが中継データであると識別した場合、前記処理対象データをＰＤＣＰ層に提出して処理することに用いられる。
【００８８】
選択肢として、前記処理ユニット４３０は具体的には、
前記処理対象データが非中継データである場合、前記処理対象データをＰＤＣＰ層に提出して処理することに用いられる。
【００８９】
選択肢として、前記処理対象データはレイヤ２メッセージに属する。
【００９０】
なお、該データ処理装置４００は図３に示される方法３００を実現でき、簡潔にするために、ここで重複説明を省略する。
【００９１】
図４は本願の実施例に係るデータ処理装置５００の模式的なブロック図である。図５に示すように、該装置５００はプロセッサ５１０及びメモリ５２０を備える。該メモリ５２０はプログラムコードを記憶し、該プロセッサ５１０は該メモリ５２０に記憶されるプログラムコードを実行できる。
【００９２】
選択肢として、図４に示すように、該装置５００は送受信機５３０を備え、プロセッサ５１０は送受信機５３０によって外部と通信できる。
【００９３】
選択肢として、該プロセッサ５１０はメモリ５２０に記憶されるプログラムコードを呼び出して、図３に示される方法３００での相応の操作を実行できる。簡潔にするために、ここで重複説明を省略する。
【００９４】
選択肢として、該装置５００は端末装置であってもよく、端末装置内に配置できるシステムチップであってもよく、又は、該装置５００はネットワーク装置であってもよく、該ネットワーク装置内に配置できるシステムチップであってもよい。
【００９５】
当業者であれば、本明細書に開示されている実施例を参照して説明された各例のユニット及びアルゴリズムステップは、電子ハードウェア、又はコンピュータソフトウェアと電子ハードウェアとの組合せによって実現できると認識しうる。これらの機能をハードウェアによって実行するかソフトウェアによって実行するかは、技術案の特定の応用及び設計制約条件によって決められる。当業者は各特定の応用に対して様々な方法でその説明された機能を実現できるが、そのような実現は本願の範囲を超えるとみなされるべきではない。
【００９６】
当業者であれば、説明を簡易にするために、以上説明されたシステム、装置及びユニットの具体的な動作過程について、上記方法の実施例における過程を参照してもよく、ここで重複説明を省略することを明確に理解しうる。
【００９７】
本願に係るいくつかの実施例において、開示されるシステム、装置及び方法はほかの方式によって実現されてもよいと理解すべきである。たとえば、以上に説明された装置の実施例は模式的なものに過ぎず、たとえば、前記ユニットの分割は、単に論理的な機能上の分割に過ぎず、実際の実現時、他の分割方式を採用してもよく、たとえば複数のユニット又はコンポーネントは他のシステムに組み合わせ又は集積されてもよく、またはいくつかの特徴は省略又は実行されなくてもよい。また、表示又は検討された相互間の結合又は直接結合又は通信接続はいくつかのインタフェース、装置又はユニットによる間接結合又は通信接続であってもよく、電気、機械又は他の形式であってもよい。
【００９８】
前記分離部材として説明されたユニットは物理的に分離してもよく物理的に分離しなくてもよく、ユニットとして表示される部材は物理ユニットであってもよく物理ユニットでなくてもよく、すなわち、１つの場所に位置してもよく、複数のネットワークユニットに分布してもよい。実際の必要に応じて、その一部又はすべてのユニットを選択して本実施例の技術案の目的を実現してもよい。
また、本願の各実施例の各機能ユニットは１つの処理ユニットに集積されてもよく、各ユニットは単独に物理的に存在してもよく、２つ又は２つ以上のユニットは１つのユニットに集積されてもよい。
【００９９】
前記機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分又は該技術案の部分はソフトウェア製品の形式で現われてもよく、該コンピュータソフトウェア製品は、１台のコンピュータ装置（パーソナルコンピュータ、サーバ、又はネットワーク装置等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１００】
以上、本願を具体的に実施するための形態を説明したが、本願の保護範囲はそれに限定されない。当業者が本願に開示されている技術範囲を逸脱せずに容易に想到し得る変更や置換はすべて本願の保護範囲に属するべきである。従って、本願の保護範囲は特許請求の範囲の記載に準じるべきである。
【図１】
2020503739.tif 000003
【図２】
2020503739.tif 000004
【図３】
2020503739.tif 000005
【図４】
2020503739.tif 000006
【図５】
2020503739.tif 000007
【手続補正書】
【提出日】令和1年11月19日(2019.11.19)
【手続補正１】
【補正対象書類名】明細書
【補正対象項目名】００１０
【補正方法】変更
【補正の内容】
【００１０】
選択肢として、前記中継情報指示フィールドは、物理制御チャネルによって伝送されるダウンリンク制御情報（Ｄｏｗｎｌｉｎｋ  Ｃｏｎｔｒｏｌ  Ｉｎｆｏｒｍａｔｉｏｎ、ＤＣＩ）又はアップリンク制御情報（Ｕｐｌｉｎｋ  Ｃｏｎｔｒｏｌ  Ｉｎｆｏｒｍａｔｉｏｎ、ＵＣＩ）に含まれ、又は、
前記中継情報指示フィールドは物理層サービスチャネルの物理サービスチャネルデータのフロントエンドに含まれる。
【手続補正２】
【補正対象書類名】明細書
【補正対象項目名】００２９
【補正方法】変更
【補正の内容】
【００２９】
図１は本願の実施例に係る無線通信システム１００の模式的な図であり、該無線通信システム１００は少なくとも１つのネットワーク装置１１０を備えてもよい。ネットワーク装置１１０は端末装置と通信する装置であってもよい。各ネットワーク装置１１０は特定の地域に通信カバレッジを提供し、且つ該カバレッジエリア内に位置する端末装置と通信することができる。該ネットワーク装置１００はＧＳＭシステム又は符号分割多元接続（Ｃｏｄｅ  Ｄｉｖｉｓｉｏｎ  Ｍｕｌｔｉｐｌｅ  Ａｃｃｅｓｓ、ＣＤＭＡ）システムの基地局（Ｂａｓｅ  Ｔｒａｎｓｃｅｉｖｅｒ  Ｓｔａｔｉｏｎ、ＢＴＳ）であってもよく、ＷＣＤＭＡシステムの基地局（ＮｏｄｅＢ、ＮＢ）であってもよく、ＬＴＥシステムの進化型基地局（Ｅｖｏｌｕｔｉｏｎａｌ  Ｎｏｄｅ  Ｂ、ｅＮＢ又はｅＮｏｄｅＢ）であってもよく、又はクラウド無線アクセスネットワーク（Ｃｌｏｕｄ  Ｒａｄｉｏ  Ａｃｃｅｓｓ  Ｎｅｔｗｏｒｋ、ＣＲＡＮ）の無線コントローラであってもよく、又は該ネットワーク装置は中継局、アクセスポイント、車載装置、ウェアラブル装置、将来の５Ｇネットワークのネットワーク側装置又は将来の進化型公衆陸上移動体ネットワーク（Ｐｕｂｌｉｃ  Ｌａｎｄ  Ｍｏｂｉｌｅ  Ｎｅｔｗｏｒｋ、ＰＬＭＮ）のネットワーク装置等であってもよい。
【手続補正３】
【補正対象書類名】明細書
【補正対象項目名】００５０
【補正方法】変更
【補正の内容】
【００５０】
選択肢として、該中継情報指示フィールドは物理制御チャネルによって伝送されるＤＣＩ又はＵＣＩに含まれ、又は、該中継情報指示フィールドは物理層サービスチャネルの物理サービスチャネルデータのフロントエンドに含まれ、フロントエンドとは、時間領域において物理サービスチャネルデータの前の方にあることを意味できる。
【手続補正４】
【補正対象書類名】明細書
【補正対象項目名】００５８
【補正方法】変更
【補正の内容】
【００５８】
具体的には、ＢＳＲは中継データ指示フィールドを有してもよく、もし該中継データ指示フィールドに含まれる情報は申請するリソースが中継データに用いられると指示することに使用される場合、該ＢＳＲの対応する該処理対象データが中継データであると確定し、この場合、該中継データ指示フィールドは１ビットのフィールドであってもよく、たとえば、１は申請するリソースが中継データに用いられること、０は申請するリソースが非中継データに用いられることを示してもよい。
【手続補正５】
【補正対象書類名】明細書
【補正対象項目名】００７９
【補正方法】変更
【補正の内容】
【００７９】
選択肢として、前記中継情報指示フィールドは、物理制御チャネルによって伝送されるダウンリンク制御情報ＤＣＩ又はアップリンク制御情報ＵＣＩに含まれ、又は、
前記中継情報指示フィールドは物理層サービスチャネルの物理サービスチャネルデータのフロントエンドに含まれる。
【手続補正６】
【補正対象書類名】明細書
【補正対象項目名】００９１
【補正方法】変更
【補正の内容】
【００９１】
図５は本願の実施例に係るデータ処理装置５００の模式的なブロック図である。図５に示すように、該装置５００はプロセッサ５１０及びメモリ５２０を備える。該メモリ５２０はプログラムコードを記憶し、該プロセッサ５１０は該メモリ５２０に記憶されるプログラムコードを実行できる。
【手続補正７】
【補正対象書類名】明細書
【補正対象項目名】００９２
【補正方法】変更
【補正の内容】
【００９２】
選択肢として、図５に示すように、該装置５００は送受信機５３０を備え、プロセッサ５１０は送受信機５３０によって外部と通信できる。
【手続補正８】
【補正対象書類名】特許請求の範囲
【補正対象項目名】全文
【補正方法】変更
【補正の内容】
【特許請求の範囲】
【請求項１】
データ処理方法であって、
受信側は処理対象データを取得することと、
前記処理対象データに含まれる情報、前記処理対象データのためのリソース申請に使用のメッセージに含まれる情報、前記処理対象データのためのリソース申請に使用のメッセージの占用するリソース情報、及び前記処理対象データを取得するための情報のうちの少なくとも１種に基づき、前記処理対象データが中継データであるか否かを確定することと、
前記処理対象データが中継データであるか否かに応じて、前記処理対象データに対する操作を実行することと、を含むことを特徴とするデータ処理方法。
【請求項２】
前記処理対象データに含まれる情報に基づき、前記処理対象データが中継データであるか否かを確定することは、
前記処理対象データの物理層のデータ、メディアアクセス制御層ＭＡＣ層のプロトコルデータユニットＰＤＵに含まれる情報、無線リンク制御ＲＬＣ層のＰＤＵに含まれる情報、又はアダプテーション層のＰＤＵに含まれる情報に基づき、前記処理対象データが中継データであるか否かを確定することを含むことを特徴とする請求項１に記載の方法。
【請求項３】
前記処理対象データに含まれる情報に基づき、前記処理対象データが中継データであるか否かを確定することは、
前記処理対象データに含まれる中継情報指示フィールドが、前記処理対象データが中継データであることを指示する場合、前記処理対象データが中継データであると確定すること、又は
前記処理対象データのアダプテーション層に遠隔端末の識別情報が含まれる場合、前記処理対象データが中継データであると確定すること、又は、
前記処理対象データのアダプテーション層にベアラ識別情報が含まれる場合、前記処理対象データが中継データであると確定すること、又は、
前記処理対象データのアダプテーション層に特定のベアラ識別情報が含まれる場合、前記処理対象データが中継データであると確定することを含むことを特徴とする請求項１又は２に記載の方法。
【請求項４】
前記中継情報指示フィールドは物理層制御チャネル、又は物理層サービスチャネルに含まれることを特徴とする請求項３に記載の方法。
【請求項５】
前記中継情報指示フィールドは、物理制御チャネルによって伝送されるダウンリンク制御情報ＤＣＩ又はアップリンク制御情報ＵＣＩに含まれ、又は、
前記中継情報指示フィールドは物理層サービスチャネルの物理サービスチャネルデータのフロントエンドに含まれることを特徴とする請求項４に記載の方法。
【請求項６】
前記処理対象データのためのリソース申請に使用のメッセージに含まれる情報に基づき、前記処理対象データが中継データであるか否かを確定することは、
前記処理対象データのためのリソース申請に使用のバッファステータスレポートＢＳＲに含まれる情報に基づき、前記処理対象データが中継データであるか否かを確定することを含むことを特徴とする請求項１又は２に記載の方法。
【請求項７】
前記処理対象データのためのリソース申請に使用のＢＳＲに含まれる情報に基づき、前記処理対象データが中継データであるか否かを確定することは、
前記ＢＳＲに、申請するリソースを中継データに用いることを指示するための中継データ指示情報、遠隔端末の識別情報、又は中継特定のロジックチャネル情報が含まれる場合、前記処理対象データが中継データであると確定することを含むことを特徴とする請求項６に記載の方法。
【請求項８】
前記処理対象データのためのリソース申請に使用のメッセージの占用するリソース情報に基づき、前記処理対象データが中継データであるか否かを確定することは、
前記処理対象データのためのリソース申請に使用のスケジューリング要求の占用する時間領域リソース、周波数領域リソース、コード領域リソース及び電力リソースのうちの少なくとも１種に基づき、前記処理対象データが中継データであるか否かを確定することを含むことを特徴とする請求項１、２又は６に記載の方法。
【請求項９】
前記処理対象データのためのリソース申請に使用のスケジューリング要求の占用する時間領域リソース、周波数領域リソース、コード領域リソース及び電力リソースのうちの少なくとも１種に基づき、前記処理対象データが中継データであるか否かを確定することは、
前記スケジューリング要求の占用する時間領域リソースが中継特定の時間領域リソースであり、及び／又は前記スケジューリング要求の占用する周波数領域リソースが中継特定の周波数領域リソースであり、及び／又は前記スケジューリング要求の占用するコード領域リソースが中継特定のコード領域リソースであり、及び／又は前記スケジューリング要求の占用する空間領域リソースが中継特定の空間領域リソースであり、及び／又は前記スケジューリング要求の占用する電力リソースが中継特定の電力リソースである場合、前記処理対象データが中継データであると確定することを含むことを特徴とする請求項８に記載の方法。
【請求項１０】
前記処理対象データを取得するための情報に基づき、前記処理対象データが中継データであるか否かを確定することは、
前記処理対象データを取得するためのセル無線ネットワーク一時識別子Ｃ−ＲＮＴＩに基づき、前記処理対象データが中継データであるか否かを確定することを含み、
前記処理対象データを取得するためのＣ−ＲＮＴＩに基づき、前記処理対象データが中継データであるか否かを確定することは、
前記処理対象データを取得するためのＣ−ＲＮＴＩが中継特定のＣ−ＲＮＴＩである場合、前記処理対象データが中継データであると確定することを含むことを特徴とする請求項１、２、６又は８に記載の方法。
【請求項１１】
前記受信側は中継端末装置であり、前記処理対象データが中継データであるか否かに応じて、前記処理対象データに対する操作を実行することは、
前記処理対象データをアダプテーション層に提出して処理する前に、前記処理対象データが中継データであると確定した場合、前記処理対象データをアダプテーション層に提出して処理し、アダプテーション層により処理された前記処理対象データを遠隔端末又はネットワーク装置に中継すること、又は
前記処理対象データをアダプテーション層に提出して処理した後に、前記処理対象データが中継データであると識別した場合、前記データを遠隔端末又はネットワーク装置に中継することを含むことを特徴とする請求項１〜１０のいずれか一項に記載の方法。
【請求項１２】
前記受信側はネットワーク装置であり、前記処理対象データが中継データであるか否かに応じて、前記処理対象データに対する操作を実行することは、
前記処理対象データをアダプテーション層に提出して処理する前に、前記処理対象データが中継データであると確定した場合、前記処理対象データをアダプテーション層に提出して処理し、アダプテーション層により処理された前記処理対象データをパケットデータコンバージェンスプロトコルＰＤＣＰ層に提出して処理すること、又は
前記処理対象データをアダプテーション層に提出して処理した後に、前記処理対象データが中継データであると識別した場合、前記処理対象データをＰＤＣＰ層に提出して処理することを含むことを特徴とする請求項１〜１０のいずれか一項に記載の方法。
【請求項１３】
前記処理対象データが中継データであるか否かに応じて、前記処理対象データに対する操作を実行することは、
前記処理対象データが非中継データである場合、前記処理対象データをＰＤＣＰ層に提出して処理することを含むことを特徴とする請求項１〜１２のいずれか一項に記載の方法。
【請求項１４】
前記処理対象データはレイヤ２メッセージに属することを特徴とする請求項１〜１３のいずれか一項に記載の方法。
【請求項１５】
データ処理装置であって、
処理対象データを取得する取得ユニットと、
前記処理対象データに含まれる情報、前記処理対象データのためのリソース申請に使用のメッセージに含まれる情報、前記処理対象データのためのリソース申請に使用のメッセージの占用するリソース情報、及び前記処理対象データを取得するための情報のうちの少なくとも１種に基づき、前記処理対象データが中継データであるか否かを確定する確定ユニットと、
前記処理対象データが中継データであるか否かに応じて、前記処理対象データに対する操作を実行する処理ユニットと、を備えることを特徴とするデータ処理装置。
【国際調査報告】
2020503739.tif 000008
2020503739.tif 000009
2020503739.tif 000010
2020503739.tif 000011